(57)【要約】【課題】内箱収容外箱も店頭陳列物品の陳列に利用することができ、顧客に良好な訴求効果を実現することができる梱包陳列システムを提供する。【解決手段】内箱収容外箱２００は開梱されて物品収容内箱１００と組み合され、内箱収容外箱２００と組み合された物品収容内箱１００に店頭陳列物品ＳＴＰが陳列される。ただし、物品陳列状態で内箱収容外箱２００と組み合されて露出する内箱収容外箱２００の内面に店頭陳列物品ＳＴＰと関連する情報ＴＣＭが表記されているので、その情報ＴＣＭにより陳列される店頭陳列物品ＳＴＰの広告などが実施される。【選択図】図１
2011207503.tif 000002
【特許請求の範囲】
【請求項１】
店頭陳列物品を収容する物品収容内箱と、少なくとも一個の前記物品収容内箱を収容する内箱収容外箱と、を有し、前記店頭陳列物品が前記物品収容内箱に収容されて前記内箱収容外箱に梱包された物品梱包状態と、前記内箱収容外箱と前記物品収容内箱とを利用して前記店頭陳列物品が陳列された物品陳列状態と、に可変される梱包陳列システムであって、
前記内箱収容外箱は、前記物品陳列状態では開梱されて前記物品収容内箱と組み合され、
前記物品収容内箱は、前記内箱収容外箱と組み合された前記物品陳列状態で前記店頭陳列物品が陳列され、
前記内箱収容外箱は、前記物品陳列状態で前記内箱収容外箱と組み合されて露出する内面に前記店頭陳列物品と関連する情報が表記されている梱包陳列システム。
【請求項２】
前記内箱収容外箱は、
前記物品梱包状態で一面が矩形の直方体状に形成されており、
前記一面の矩形の開口が外周四辺の少なくとも一つから突出した凸片で封止されており、
前記物品陳列状態で露出する前記凸片の内面に前記情報が表記されている請求項１に記載の梱包陳列システム。
【請求項３】
前記内箱収容外箱は、前記物品陳列状態で前記凸片が前記開口の外側に突出される請求項２に記載の梱包陳列システム。
【請求項４】
前記内箱収容外箱は、前記物品陳列状態で外側に突出された前記凸片が曲折または湾曲される請求項３に記載の梱包陳列システム。
【請求項５】
前記内箱収容外箱は、前記物品陳列状態で曲折または湾曲された前記凸片の先端が外面に連結される請求項４に記載の梱包陳列システム。
【請求項６】
前記内箱収容外箱は、前記凸片の開梱により開口した一面が前記物品陳列状態で前面とされ、
前記物品収容内箱は、前記物品陳列状態では後部が前記内箱収容外箱の前面の開口の下部に挿入される請求項２ないし５の何れか一項に記載の梱包陳列システム。
【請求項７】
前記内箱収容外箱は、前記物品陳列状態で上部と下部との少なくとも一方が切除され、
前記物品収容内箱は、上部と下部との少なくとも一方が切除された前記内箱収容外箱の前面の開口の下部に後部が挿入される請求項６に記載の梱包陳列システム。
【請求項８】
前記内箱収容外箱は、前記物品梱包状態で複数の前記物品収容内箱が収容され、
前記内箱収容外箱は、収容されている前記物品収容内箱と同数以上に分断され、
前記物品陳列状態で分断された複数の前記内箱収容外箱と複数の前記物品収容内箱とが個々に組み合される請求項１ないし６の何れか一項に記載の梱包陳列システム。
【請求項９】
前記物品収容内箱は、前記物品陳列状態で上面が開口した状態とされ、上面の前記開口に前記店頭陳列物品が挿入されて陳列され、
前記内箱収容外箱は、前記物品陳列状態で前記物品収容内箱の上面の開口に挿入される内箱挿入部分と、前記内箱挿入部分に連続して前記情報が内面に表記されている凸部と、を有する請求項１に記載の梱包陳列システム。
【発明の詳細な説明】
【技術分野】
【０００１】
本発明は、店頭陳列物品を梱包して搬送に利用される梱包陳列システムに関し、特に、開梱されて店頭陳列物品の陳列にも利用される梱包陳列システムに関する。
【背景技術】
【０００２】
現在、箱入菓子、文房具、タバコパッケージ、タバコパッケージが同梱されるノベルティグッズ、等の各種の店頭陳列物品が、サプライチェーン店舗であるコンビニエンスストアなどの各種店舗で、店頭に陳列されて販売されている。
【０００３】
このような店頭陳列物品は、一般的に物品梱包容器に梱包されて搬送されている。そこで、このような店頭陳列物品を店頭に陳列する場合には、物品梱包容器を開梱し、専用や汎用の什器に陳列する。
【０００４】
しかし、これでは物品梱包容器と什器とを別個に用意する必要がある。また、物品梱包容器を廃棄する必要がある。さらに、物品梱包容器を開梱して店頭陳列物品を什器に陳列する作業が煩雑である。
【０００５】
上述のような課題を解決するため、開梱した物品梱包容器で店頭陳列物品を陳列できるようにする提案があり、実際に実施されている。例えば、商品陳列作業を短時間で行なうことができ、かつ、内部に商品を収容した状態でも容易な運送が可能となる商品陳列装置の提案がある。
【０００６】
その技術は、複数の筆記具用部品を収容した商品陳列装置であり、正面板と、第一側面板と、第二側面板と、背面板と、天面板と、底面板とからなる。背面板を上方に延長し、背面板の上端部に、天面板より上方に突出する突出片部を形成する。
【０００７】
突出片部に、吊下陳列用フックが係合可能な係合孔を設ける。ミシン目を、正面板と、第一側面板と、第二側面板とに設ける。天面板と、正面板上端部と、第一側面板の正面側上端部と、第二側面板の正面側上端部とをミシン目に沿って切断除去可能に構成する(特許文献１)。
【０００８】
また、三枚のピースを接合して箱側面が八角形で、全体が十面体の外観形状をした視覚デザイン性およびハンドリング性に富み、店頭開封時に多段陳列可能な包装箱の提案もある。
【０００９】
その包装箱は、二枚で一組のサイドパネルと、一枚のボディーパネルで組み立てられる。サイドパネルは、本体パネルと、左右側片と、蓋フラップとを備え、ボディーパネルは、八角形の底面パネルと、前後パネルと蓋フラップとを順次連接してなり、底面パネルの左右に左右つなぎ片を、前後パネルの左右にサイドパネルの左右側片と重合する左右つなぎ片とを、それぞれ備える(特許文献２)。
【００１０】
さらに、例えば屋外で使用する長尺バーナー等の商品を梱包箱に詰め込んで輸送し、これを受領した店頭では、梱包を崩すことなく梱包箱の蓋を開封するだけで、容易に陳列スタンドへと変形できるようにした梱包箱兼用陳列スタンドの提案もある。
【００１１】
その梱包箱兼用陳列スタンドは、側面部を構成する四側面が連設した、一枚の段ボールから角筒状に折り上げられ、四側面は、各々所定の折り目を介して三又は四分割され、かつ、各々の稜線には折り目および切れ目を備える梱包箱である。
【００１２】
さらに、上記の四側面を、上記の所定の折り目を介して折曲するように押し下げることにより、上記の四側面が、複数の支脚として立設される(特許文献３)。
【先行技術文献】
【特許文献】
【００１３】
【特許文献１】特開２００８−２８５２２０号公報
【特許文献２】特開２００８−０１３２４４号公報
【特許文献３】特開２００７−２１６９７４号公報
【発明の概要】
【発明が解決しようとする課題】
【００１４】
上述のように物品梱包容器を、店頭陳列物品の陳列に利用する各種の提案がある。しかし、何れも複数個の店頭陳列物品を収容する物品収容内箱を什器として利用するものでしかない。
【００１５】
一般的に小型の店頭陳列物品は、複数が物品収容内箱に収容され、複数の物品収容内箱が大型の内箱収容外箱に収容される。このような物品梱包状態で小型の多数の店頭陳列物品は移送される。
【００１６】
しかし、上述のような構造の物品梱包容器では、物品収容内箱を店頭陳列物品の陳列に利用しても、大型の内箱収容外箱は廃棄されている。この廃棄はエコロジカルではなく、好ましくない。
【００１７】
そこで、内箱収容外箱を店頭陳列物品の陳列に利用することも想定できる。しかし、内箱収容外箱は、物品梱包状態の移送時に外面が擦過されたり粘着テープが貼着されたりする。
【００１８】
このため、内箱収容外箱の外面に店頭陳列物品に関連した広告などの情報を印刷していても、その情報が損傷されることが多々ある。このため、店頭陳列物品の陳列に好適な状態とならず、顧客に良好な訴求効果を実現することができない。
【００１９】
本発明は上述のような課題に鑑みてなされたものであり、内箱収容外箱も店頭陳列物品の陳列に利用することができ、顧客に良好な訴求効果を実現することができる梱包陳列システムを提供するものである。
【課題を解決するための手段】
【００２０】
本発明の梱包陳列システムは、店頭陳列物品を収容する物品収容内箱と、少なくとも一個の物品収容内箱を収容する内箱収容外箱と、を有し、店頭陳列物品が物品収容内箱に収容されて内箱収容外箱に梱包された物品梱包状態と、内箱収容外箱と物品収容内箱とを利用して店頭陳列物品が陳列された物品陳列状態と、に可変される梱包陳列システムであって、内箱収容外箱は、物品陳列状態では開梱されて物品収容内箱と組み合され、物品収容内箱は、内箱収容外箱と組み合された物品陳列状態で店頭陳列物品が陳列され、内箱収容外箱は、物品陳列状態で内箱収容外箱と組み合されて露出する内面に店頭陳列物品と関連する情報が表記されている。
【００２１】
従って、本発明の梱包陳列システムでは、物品梱包状態で店頭陳列物品が物品収容内箱に収容されて内箱収容外箱に梱包され、物品陳列状態で内箱収容外箱と物品収容内箱とを利用して店頭陳列物品が陳列される。その場合、内箱収容外箱は開梱されて物品収容内箱と組み合され、内箱収容外箱と組み合された物品収容内箱に店頭陳列物品が陳列される。ただし、物品陳列状態で内箱収容外箱と組み合されて露出する内箱収容外箱の内面に店頭陳列物品と関連する情報が表記されているので、その情報により陳列される店頭陳列物品の広告などが実施される。
【００２２】
また、上述のような梱包陳列システムにおいて、内箱収容外箱は、物品梱包状態で一面が矩形の直方体状に形成されており、一面の矩形の開口が外周四辺の少なくとも一つから突出した凸片で封止されており、物品陳列状態で露出する凸片の内面に情報が表記されていてもよい。
【００２３】
また、上述のような梱包陳列システムにおいて、内箱収容外箱は、物品陳列状態で凸片が開口の外側に突出されてもよい。
【００２４】
また、上述のような梱包陳列システムにおいて、内箱収容外箱は、物品陳列状態で外側に突出された凸片が曲折または湾曲されてもよい。
【００２５】
また、上述のような梱包陳列システムにおいて、内箱収容外箱は、物品陳列状態で曲折または湾曲された凸片の先端が外面に連結されてもよい。
【００２６】
また、上述のような梱包陳列システムにおいて、内箱収容外箱は、凸片の開梱により開口した一面が物品陳列状態で前面とされ、物品収容内箱は、物品陳列状態では後部が内箱収容外箱の前面の開口の下部に挿入されてもよい。
【００２７】
また、上述のような梱包陳列システムにおいて、内箱収容外箱は、物品陳列状態で上部と下部との少なくとも一方が切除され、物品収容内箱は、上部と下部との少なくとも一方が切除された内箱収容外箱の前面の開口の下部に後部が挿入されてもよい。
【００２８】
また、上述のような梱包陳列システムにおいて、内箱収容外箱は、物品梱包状態で複数の物品収容内箱が収容され、内箱収容外箱は、収容されている物品収容内箱と同数以上に分断され、物品陳列状態で分断された複数の内箱収容外箱と複数の物品収容内箱とが個々に組み合されてもよい。
【００２９】
また、上述のような梱包陳列システムにおいて、物品収容内箱は、物品陳列状態で上面が開口した状態とされ、上面の開口に店頭陳列物品が挿入されて陳列され、内箱収容外箱は、物品陳列状態で物品収容内箱の上面の開口に挿入される内箱挿入部分と、内箱挿入部分に連続して情報が内面に表記されている凸部と、を有してもよい。
【００３０】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３１】
本発明の梱包陳列システムでは、物品陳列状態で内箱収容外箱と組み合されて露出する内箱収容外箱の内面に店頭陳列物品と関連する情報が表記されているので、その情報により陳列される店頭陳列物品の広告などを実施することができる。内箱収容外箱は移送の過程で外面が擦過されたり粘着テープが貼着されたりするが、情報は内面に表記されているので移送の過程で損傷されることがない。
【図面の簡単な説明】
【００３２】
【図１】本発明の実施の形態の梱包陳列システムの物品陳列状態の組立構造を示し、(ａ)は分解斜視図、(ｂ)は斜視図、である。
【図２】梱包陳列システムの物品梱包状態の組立構造を示し、(ａ)は分解斜視図、(ｂ)は斜視図、である。
【図３】一の変形例の梱包陳列システムの物品陳列状態の外観を示す斜視図である。
【図４】他の変形例の梱包陳列システムの物品陳列状態の外観を示す斜視図である。
【図５】さらに他の変形例の梱包陳列システムの物品陳列状態の外観を示す斜視図である。
【図６】さらに他の変形例の梱包陳列システムの物品陳列状態の外観を示す斜視図である。
【図７】さらに他の変形例の梱包陳列システムの物品陳列状態の外観を示す斜視図である。
【図８】さらに他の変形例の梱包陳列システムの物品陳列状態の外観を示す斜視図である。
【図９】さらに他の変形例の梱包陳列システムの物品陳列状態の外観を示す斜視図である。
【図１０】さらに他の変形例の梱包陳列システムの内箱収容外箱を示す斜視図である。
【図１１】梱包陳列システムの物品陳列状態の外観を示す斜視図である。
【図１２】さらに他の変形例の梱包陳列システムの物品陳列状態の組立構造を示し、(ａ)は分解斜視図、(ｂ)は斜視図、である。
【図１３】さらに他の変形例の梱包陳列システムの物品陳列状態の外観を示す斜視図である。
【発明を実施するための形態】
【００３３】
本発明の実施の一形態を図１および図２を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００３４】
本実施の形態の梱包陳列システム１０００は、図１および図２に示すように、店頭陳列物品ＳＴＰを収容する物品収容内箱１００と、少なくとも一個の物品収容内箱１００を収容する内箱収容外箱２００と、を有する。
【００３５】
梱包陳列システム１０００は、図２に示すように、店頭陳列物品ＳＴＰが物品収容内箱１００に収容されて内箱収容外箱２００に梱包された物品梱包状態と、図１に示すように、内箱収容外箱２００と物品収容内箱１００とを利用して店頭陳列物品ＳＴＰが陳列された物品陳列状態と、に可変される。
【００３６】
内箱収容外箱２００は、物品陳列状態では開梱されて物品収容内箱１００と組み合され、物品収容内箱１００は、内箱収容外箱２００と組み合された物品陳列状態で店頭陳列物品ＳＴＰが陳列され、内箱収容外箱２００は、物品陳列状態で内箱収容外箱２００と組み合されて露出する内面に店頭陳列物品ＳＴＰと関連する情報として図柄ＴＣＭが表記されている。
【００３７】
この図柄ＴＣＭは、店頭陳列物品ＳＴＰと関連する情報であればよく、例えば、店頭陳列物品ＳＴＰの広告、店頭陳列物品ＳＴＰの説明、店頭陳列物品ＳＴＰの注意書き、店頭陳列物品ＳＴＰを予測される図案や配色、等からなる。
【００３８】
また、内箱収容外箱２００は、図２に示すように、物品梱包状態で一面が矩形の直方体状に形成されており、一面の矩形の開口２０４が外周四辺から突出した凸片２０１，２０２で封止されており、図１に示すように、物品陳列状態で露出する凸片２０１，２０２の内面に図柄ＴＣＭがカラー印刷などで表記されている。
【００３９】
さらに、内箱収容外箱２００は、物品陳列状態で凸片２０１，２０２が開口２０４の外側に突出される。また、内箱収容外箱２００は、凸片２０１，２０２の開梱により開口２０４した一面が物品陳列状態で前面とされ、物品収容内箱１００は、物品陳列状態では後部が内箱収容外箱２００の前面の開口２０４の下部に挿入される。
【００４０】
より具体的には、本実施の形態の梱包陳列システム１０００では、図２(ａ)に示すように、物品梱包状態および物品陳列状態で上下方向に扁平な直方体状の物品収容内箱１００の上面に開口１０３が形成されている。また、この物品収容内箱１００は、物品梱包状態および物品陳列状態で前面となる位置に図柄ＴＣＭがカラー印刷などで表記されている。
【００４１】
物品収容内箱１００は、内箱本体部分１０１の内部が仕切１０２により左右方向で二列に区分されており、物品梱包状態では、そこに店頭陳列物品ＳＴＰが上下方向に複数が積載された状態で、前後方向に複数行に収容される。
【００４２】
本実施の形態では、店頭陳列物品ＳＴＰは、タバコパッケージ(図示せず)と組み合される携帯灰皿等のノベルティグッズなどからなる。このような店頭陳列物品ＳＴＰは、タバコパッケージとは別個に梱包陳列システム１０００に梱包されてコンビニエンスストアなどの店舗まで移送され、店舗でタバコパッケージと同梱される。
【００４３】
そこで、店頭陳列物品ＳＴＰと関連する図柄ＴＣＭは、例えば、店頭陳列物品ＳＴＰと組み合されるタバコパッケージの広告や、タバコパッケージに店頭陳列物品ＳＴＰが同梱されていることの案内メッセージなどからなる。
【００４４】
物品梱包状態では、上述のように店頭陳列物品ＳＴＰが収容された物品収容内箱１００が、開梱されている内箱収容外箱２００の外箱本体部分２０３の矩形の上面開口から内部に収容される。
【００４５】
図２(ｂ)に示すように、このような状態で内箱収容外箱２００の上面開口が外周四辺から突出している凸片２０１，２０２で閉止され、例えば、左右一対の凸片２０２が粘着テープＡＧＴで封止される。当然ながら、この粘着テープＡＧＴは凸片２０２の外面に貼着されるので、図柄ＴＣＭが表記されている内面に影響することはない。
【００４６】
このように店頭陳列物品ＳＴＰを梱包した物品梱包状態の梱包陳列システム１０００が、例えば、製造メーカからコンビニエンスストアなどの店舗まで移送される。この移送の過程で内箱収容外箱２００の外面は擦過等されることがあるが、やはり図柄ＴＣＭが表記されている内面に影響することはない。
【００４７】
このような物品梱包状態の梱包陳列システム１０００が店舗に到着すると、粘着テープＡＧＴが引き剥がされたり切断されるなどして、図２(ａ)に示すように、内箱収容外箱２００が開梱される。
【００４８】
このように開梱された内箱収容外箱２００から物品収容内箱１００が取り出され、図１(ａ)に示すように、内箱収容外箱２００は、上面開口が前面となるように立設される。
【００４９】
このとき、図柄ＴＣＭが表記されている凸片２０１が上方に位置し、表記されていない凸片２０１が下方に位置する状態とされる。そして、図柄ＴＣＭが表記されている上部と左右の凸片２０１，２０２が外側である上方と左右とに突出した状態とされる。
【００５０】
このような状態で、内箱収容外箱２００の前面開口の下部に物品収容内箱１００の後部が前方から挿入される。また、店頭陳列物品ＳＴＰは内箱収容外箱２００から取り出され、例えば、タバコパッケージが同梱されてから、図１に示すように、物品陳列状態の物品収容内箱１００に前方から後方まで立設した状態で二列に収容される。
【００５１】
上述のような物品陳列状態の梱包陳列システム１０００は、コンビニエンスストアなどの店舗で店頭陳列物品ＳＴＰの、いわゆる什器として利用される。そして、従来は廃棄していた内箱収容外箱２００も廃棄することなく店頭陳列物品ＳＴＰの陳列に利用するので、本実施の形態の梱包陳列システム１０００はエコロジカルである。
【００５２】
しかも、陳列される店頭陳列物品ＳＴＰの上方と左右とに位置する内箱収容外箱２００の三つの凸片２０１，２０２に、店頭陳列物品ＳＴＰに関連する図柄ＴＣＭがカラー印刷などで表記されているので、顧客(図示せず)を良好に訴求することができる。
【００５３】
なお、上述のように内箱収容外箱２００は移送の過程で外面が擦過されたり粘着テープが貼着されたりするが、図柄ＴＣＭは凸片２０１，２０２の内面に表記されているので移送の過程で損傷されることがない。
【００５４】
しかも、このような凸片２０１，２０２は、物品収容内箱１００を梱包するために従来から必須の構成である。このため、図柄ＴＣＭを提示するために特別な部分を内箱収容外箱２００に追加する必要がない。
【００５５】
また、図２に示すように、物品収容内箱１００は内箱収容外箱２００に隙間なく収容される外形に形成されている。従って、図１に示すように、開口が前面に位置するように立設させた内箱収容外箱２００の下部に、物品収容内箱１００の後部を隙間なく配置することができる。
【００５６】
さらに、本実施の形態の梱包陳列システム１０００では、物品収容内箱１００の前面にも図柄ＴＣＭがカラー印刷などで表記されているので、より良好に顧客を訴求することができる。当然ながら、この物品収容内箱１００の前面の図柄ＴＣＭも、物品梱包状態で粘着テープＡＧＴが貼着されたり移送の過程で擦過されることはない。
【００５７】
なお、本発明は本実施の形態に限定されるものではなく、その要旨を逸脱しない範囲で各種の変形を許容する。例えば、上記形態では内箱収容外箱２００の上部および左右の凸片２０１，２０２の内面に図柄ＴＣＭが表記されていることを例示した。
【００５８】
図３に例示する梱包陳列システム１１００のように、物品陳列状態で露出する内箱収容外箱２００の外箱本体部分２０３の内面に、凸片２０１，２０２と同様に図柄ＴＣＭがカラー印刷などで表記されていてもよい。
【００５９】
また、上記形態では内箱収容外箱２００の開口外周の凸片２０１，２０２を単純に外側に突出させることを例示した。しかし、図３に例示する梱包陳列システム１１００のように、物品陳列状態で外側に突出された凸片２０１，２０２が曲折されてもよく、さらに、図３(ｂ)に示すように、曲折された凸片２０１，２０２の先端が外面に連結されてもよい。
【００６０】
より具体的には、例示する梱包陳列システム１１００では、例えば、物品陳列状態で内箱収容外箱２１０の上部と左右の凸片２０１，２０２に曲折用のミシン目２１１が形成されている。
【００６１】
さらに、凸片２０１，２０２の先端には連結用の連結凸部２１２が形成されている。そして、この連結凸部２１２が挿入されるスリット用のミシン目２１３が、外箱本体部分２０３の上面と左右側面に形成されている。
【００６２】
そこで、内箱収容外箱２１０の物品陳列状態で上部と左右の凸片２０１，２０２をミシン目２１１で後方に曲折し、その先端の連結凸部２１２を上面と左右側面のスリット状の連結穴部２１４に挿入する。
【００６３】
すると、図３(ｂ)に示すように、物品陳列状態で内箱収容外箱２１０の上部と左右とに凸片２０１，２０２が三角筒状に形成される。このため、凸片２０１，２０２により内箱収容外箱２１０を極めて強固とすることができる。
【００６４】
また、三角筒状の凸片２０１，２０２により、図柄ＴＣＭの訴求効果を向上させることが期待できる。さらに、凸片２０１，２０２の図柄ＴＣＭを後方にも配置できるので、物品陳列状態の梱包陳列システム１１００が顧客に後方から視認されたときも店頭陳列物品ＳＴＰを訴求することができる。なお、当然ながら、凸片２０１，２０２を、四角筒状や六角筒状に曲折させてもよい(図示せず)。
【００６５】
さらに、図４に例示する梱包陳列システム１２００のように、凸片２０１，２０２を三角筒状に曲折することなく半円筒状に湾曲させてもよい。この場合も、半円筒状に湾曲した凸片２０１，２０２により内箱収容外箱２１０を極めて強固とすることができ、半円筒状の凸片２０１，２０２により、図柄ＴＣＭの訴求効果を向上させることができる。なお、当然ながら、凸片２０１，２０２を半円筒状ではなく円筒状に湾曲させてもよい(図示せず)。
【００６６】
また、上記形態では内箱収容外箱２００の外箱本体部分２０３から突出している凸片２０１，２０２の内面に図柄ＴＣＭが表記されており、その凸片２０１，２０２を外側に突出させることを例示した。
【００６７】
しかし、図５に例示する梱包陳列システム１３００のように、内箱収容外箱２２０の凸片２０１，２０２に連続する外箱本体部分２０３の内面まで図柄ＴＣＭが表記されており、外箱本体部分２０３の上部左右の角部がミシン目(図示せず)などで切開されてもよい。
【００６８】
この場合、図示するように、外箱本体部分２０３の上部２２１を凸片２０１と一体に上方に突出させることができるので、大面積に図柄ＴＣＭを表記することができる。さらに、外箱本体部分２０３の左右の側部２２２を三角形に曲折させて凸片２０２と一体に左右に突出させることができるので、やはり大面積に図柄ＴＣＭを表記することができる。
【００６９】
しかも、このように左右に突出した側部２２２および凸片２０２とは後傾した状態となるので、その立体的な形状により訴求効果を向上させることができる。なお、凸片２０２の下部は、そのままでは設置面と干渉するので、例えば、後方に曲折することが好適である。
【００７０】
さらに、上記形態では内箱収容外箱２００の全体を物品陳列状態でも利用することを例示した。しかし、図６に例示する梱包陳列システム１４００のように、物品陳列状態で内箱収容外箱２００の上部や下部が切除されてもよい。
【００７１】
この梱包陳列システム１４００では、内箱収容外箱２３０に、物品陳列状態で水平にミシン目２３１が形成されており、このミシン目２３１で下部が切除される。この場合、物品収容内箱１００は、上部や下部が切除された内箱収容外箱２３０の前面の開口２０４の下部に後部が挿入される。
【００７２】
このような梱包陳列システム１４００では、物品陳列状態の内箱収容外箱２３０の全高を制限することができる。このため、コンビニエンスストアや駅舎売店などで、設置スペースの全高に制限があるような場合でも対応することができる。
【００７３】
さらに、図７に例示する梱包陳列システム１５００では、物品梱包状態で内箱収容外箱２４０に物品収容内箱１００が二段に収容される。そして、内箱収容外箱２４０は上下対称に形成されており、物品陳列状態で水平に中央にミシン目２４１が形成されている。
【００７４】
このため、一個の物品梱包状態の梱包陳列システム１５００から、二個の内箱収容外箱２００と二個に分断された内箱収容外箱２４０とで、図７(ｂ)に示すように、二個の物品陳列状態の梱包陳列システム１５００を形成することができる。なお、当然ながら、内箱収容外箱に三個以上の物品収容内箱が収容され、その個数に対応した個数に内箱収容外箱が分断されてもよい(図示せず)。
【００７５】
また、図８に例示する梱包陳列システム１６００のように、内箱収容外箱２５０の上半部が所定形状に切除され、左右の凸片２０２に連続する左右の側部２５１が三角形状に曲折されてもよい。
【００７６】
この場合も、物品陳列状態の内箱収容外箱２５０の全高を制限することができ、それでいて、左右の凸片２０２に側部２５１が追加されるので、その面積が増大して図柄ＴＣＭによる訴求効果を向上させることができる。
【００７７】
特に、側部２５１が三角形状に曲折されるので、側部２５１と凸片２０２とが後傾した状態となり、その視認性を向上させて図柄ＴＣＭの訴求効果を向上させることができる。
【００７８】
さらに、図９に例示する梱包陳列システム１７００のように、内箱収容外箱２６０の側部２６１および左右の凸片２０２が三角形に残存するように上部を切除し、残存した部分を外側に折り返して内面の図柄ＴＣＭを左右両側に露出させてもよい。この場合、内箱収容外箱２６０の外面が略露出しない状態となり、システム全体の外観を良好とすることができる。
【００７９】
また、図１０および図１１に例示する梱包陳列システム１８００のように、内箱収容外箱２７０は、物品陳列状態で物品収容内箱１００の上面の開口１０３に挿入される内箱挿入部分２７１と、内箱挿入部分２７１に連続して図柄ＴＣＭが内面に表記されている凸部２７２と、を有してもよい。
【００８０】
図１０に示すように、この左右一対の凸部２７２は、凸片２０２と側部２７３の上部を三角形に折りだした部分からなり、内箱挿入部分２７１は、側部２７３から切り出した部分からなる。
【００８１】
なお、物品収容内箱１００の後部に挿入される内箱収容外箱２７０の凸部２７４は、物品梱包状態の後部からなる。また、物品収容内箱１００は中央に仕切１０２が形成されているので、この仕切１０２が挿入される凹部２７５のミシン目２７６が凸部２７４の下縁に形成されている。
【００８２】
このような梱包陳列システム１８００は、全高を極度に制限することができ、それでいて図柄ＴＣＭを提示する部分を充分に確保することができる。このため、全高に制限があるような場所でも良好な訴求効果を実現することができる。
【００８３】
さらに、上記形態では内箱収容外箱２００の開口２０４の下部に物品収容内箱１００の後部を挿入することのみ例示した。しかし、図１２に例示する梱包陳列システム１９００のように、物品陳列状態の内箱収容外箱２８０の内部下方にスリット２８２のミシン目２８１が形成されており、そのミシン目２８１で形成されるスリット２８２に係合する凸部１１１が物品収容内箱１１０の後部上縁に形成されていてもよい。
【００８４】
この場合、物品収容内箱１１０と内箱収容外箱２８０とが強固に連結されるので、内箱収容外箱２８０を把持して物品収容内箱１１０とともに全体を移動させるようなことも容易にできる。
【００８５】
また、上記形態では物品収容内箱１１０に店頭陳列物品ＳＴＰが二列に収容されることを例示した。しかし、物品収容内箱１１０に店頭陳列物品ＳＴＰが一列に収容されてもよく、三列以上に収容されてもよい(図示せず)。
【００８６】
さらに、上記形態では一個の物品収容内箱１１０に二列の店頭陳列物品ＳＴＰが収容されることを例示した。しかし、店頭陳列物品ＳＴＰ一列に収容される幅狭の物品収容内箱が内箱収容外箱に二列に収容されてもよく、これが三列以上でもよい(図示せず)。
【００８７】
また、上記形態では店頭陳列物品ＳＴＰがタバコパッケージと同梱される携帯灰皿等のノベルティグッズなどからなることを例示した。しかし、このような店頭陳列物品ＳＴＰが、菓子パッケージなどであってもよい。
【００８８】
さらに、上記形態では部品陳列状態で正面に位置する、凸片２０１，２０２の内面や物品収容内箱１００の前面に、図柄ＴＣＭが表記されていることを例示した。しかし、図１３に例示する梱包陳列システム２０００のように、さらに内箱収容外箱２００の部品陳列状態での内部前面に図柄ＴＣＭが表記されていてもよい。
【００８９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００９０】
１００    物品収容内箱
１０１    内箱本体部分
１０２    仕切
１０３    開口
１１０    物品収容内箱
１１１    凸部
２００    内箱収容外箱
２０１    凸片
２０２    凸片
２０３    外箱本体部分
２０４    開口
２１０    内箱収容外箱
２１１    ミシン目
２１２    連結凸部
２１３    ミシン目
２１４    スリット
２２０    内箱収容外箱
２２１    上部
２２２    側部
２３０    内箱収容外箱
２３１    ミシン目
２４０    内箱収容外箱
２４１    ミシン目
２５０    内箱収容外箱
２５１    側部
２６０    内箱収容外箱
２６１    側部
２７０    内箱収容外箱
２７１    内箱挿入部分
２７２    凸部
２７３    側部
２７４    凸部
２７５    凹部
２７６    ミシン目
２８０    内箱収容外箱
２８１    ミシン目
２８２    スリット
１０００    梱包陳列システム
１１００    梱包陳列システム
１２００    梱包陳列システム
１３００    梱包陳列システム
１４００    梱包陳列システム
１５００    梱包陳列システム
１６００    梱包陳列システム
１７００    梱包陳列システム
１８００    梱包陳列システム
１９００    梱包陳列システム
２０００    梱包陳列システム
ＡＧＴ    粘着テープ
ＳＴＰ    店頭陳列物品
ＴＣＭ    図柄
【図１】
2011207503.tif 000003
【図２】
2011207503.tif 000004
【図３】
2011207503.tif 000005
【図４】
2011207503.tif 000006
【図５】
2011207503.tif 000007
【図６】
2011207503.tif 000008
【図７】
2011207503.tif 000009
【図８】
2011207503.tif 000010
【図９】
2011207503.tif 000011
【図１０】
2011207503.tif 000012
【図１１】
2011207503.tif 000013
【図１２】
2011207503.tif 000014
【図１３】
2011207503.tif 000015